(57)【要約】      （修正有）【課題】ＪＩＳ  Ｇ  ３５５１同等品の溶接金網をより軽量に作成する方法を提供する。【解決手段】丸断面金属線材に代えて、捩じった多角形断面金属線材を用いて金網を作成する。多角形断面金属線材の対向する角間の長さは、代替する丸断面金属線材の断面直径にほぼ等しい。また、多角形断面金属線材に捩じりを加えることにより、多方向からの応力にも耐えられるようにする。これにより、丸断面金属線材の断面面積と多角形断面金属線材の断面面積との比に応じて溶接金網の軽量化が可能となる。【選択図】図６
2015045174.tif 000002
【特許請求の範囲】
【請求項１】
第１の横線を含む２以上の横線と、第１の縦線を含む２以上の縦線を直交して配列し、それらの交点を固定して格子状にした金網であって、
前記第１の横線が、多角形の断面をもち線材の断面形状の中心から断面に垂直に立ち上げられた軸を中心にねじられた多角形断面金属線材であることを特徴とする金網。
【請求項２】
請求項１記載の金網において、前記第１の縦線が丸断面金属線材であることを特徴とする金網。
【請求項３】
請求項１記載の金網において、前記第１の縦線が多角形断面金属線材であることを特徴とする金網。
【請求項４】
請求項３記載の金網において、前記第１の縦線と前記第１の横線の単位長さあたりのねじり量が等しいことを特徴とする金網。
【請求項５】
請求項３記載の金網において、前記第１の縦線と前記第１の横線の単位長さあたりのねじり量が異なることを特徴とする金網。
【請求項６】
第１の横線を含む２以上の横線と、第１の縦線を含む２以上の縦線を直交して配列し、それらの交点を固定して格子状にした金網であって、
前記第１の縦線が、多角形の断面をもち断面形状の中心から断面に垂直に立ち上げられた軸を中心にねじられた多角形断面金属線材であることを特徴とする金網。
【請求項７】
請求項６記載の金網において、前記第１の横線が丸断面金属線材であることを特徴とする金網。
【請求項８】
請求項６記載の金網において、前記第１の横線が多角形断面金属線材であることを特徴とする金網。
【請求項９】
請求項８記載の金網において、前記第１の縦線と前記第１の横線の単位長さあたりのねじり量が等しいことを特徴とする金網。
【請求項１０】
請求項８記載の金網において、前記第１の縦線と前記第１の横線の単位長さあたりのねじり量が異なることを特徴とする金網。
【請求項１１】
第１の横線と第２の横線を含む２以上の横線と、第１の縦線を含む２以上の縦線を直交して配列し、それらの交点を固定して格子状にした金網であって、
前記第１の横線及び前記第２の横線が、多角形の断面をもち断面形状の中心から断面に垂直に立ち上げられた軸を中心にねじられた多角形断面金属線材であることを特徴とする金網。
【請求項１２】
請求項１１記載の金網において、前記第１の縦線が丸断面金属線材であることを特徴とする金網。
【請求項１３】
請求項１１記載の金網において、前記第１の縦線が多角形断面金属線材であることを特徴とする金網。
【請求項１４】
第１の横線を含む２以上の横線と、第１の縦線と第２の縦線を含む２以上の縦線を直交して配列し、それらの交点を固定して格子状にした金網であって、
前記第１の縦線及び前記第２の縦線が、多角形の断面をもち断面形状の中心から断面に垂直に立ち上げられた軸を中心にねじられた多角形断面金属線材であることを特徴とする金網。
【請求項１５】
請求項１４記載の金網において、前記第１の横線が丸断面金属線材であることを特徴とする金網。
【請求項１６】
請求項１４記載の金網において、前記第１の横線が多角形断面金属線材であることを特徴とする金網。
【請求項１７】
２以上の横線と２以上の縦線を直交して配列し、それらの交点を固定して格子状にした金網であって、
すべての前記横線が多角形断面金属線材であることを特徴とする金網。
【請求項１８】
２以上の横線と２以上の縦線を直交して配列し、それらの交点を固定して格子状にした金網であって、
すべての前記縦線が多角形断面金属線材であることを特徴とする金網。
【請求項１９】
請求項１乃至１８のいずれか１にかかわる金網であって、
いずれかの前記縦線といずれかの前記横線の間を電気溶接で固定することを特徴とする金網。
【発明の詳細な説明】
【技術分野】
【０００１】
本発明は金網、特に軽量かつ従来同様の強度を有する溶接金網の構造に関する。
【背景技術】
【０００２】
「溶接金網」とは、鉄線を直交して配列し、それらの交点を電気抵抗溶接して、格子状にした金網のことをいう。これらの溶接金網は建築現場や鳥獣害防止柵として用いられることが多く、日曜品店でも取り扱われることが多い。
【０００３】
従来のＪＩＳ  Ｇ  ３５５１（非特許文献１）などに示される溶接金網は、「丸鉄線」を井桁状に組み合わせることで作成されていた。
【０００４】
図１は、従来の溶接金網を作成する際に用いる丸鉄線を表す図である。また図２は従来の溶接金網の正面図、図３は図２で表した従来の溶接金網の斜視図である。
【０００５】
「丸鉄線」とは、断面形状が円形の鉄線のことを言う（非特許文献中１の定義）。本明細書中では本発明の構成及び従来品の構成を説明する際には「丸鉄線」を丸断面金属線材１００と呼ぶ。
【０００６】
従来の溶接金網では、丸断面金属線材１００を縦線１０１ａ、１０１ｂ、１０１ｃ、１０１ｄ及び横線１０２ａ、１０２ｂ、１０２ｃ、１０２ｄに用いていた。丸断面金属線材１００の作成は工数が少なくて済み、結果溶接金網を低価格にすることが可能だからである。そして、縦線１０１ａ、１０１ｂ、１０１ｃ、１０１ｄと横線１０２ａ、１０２ｂ、１０２ｃ、１０２ｄの交わる個所（溶接点）を電気溶接によって固定している。
【０００７】
なお、ＪＩＳ  Ｇ  ３５５１では、金網中の鉄筋格子を構成する鉄筋のうち、「縦線」を製造方向（機械の送り方向）の鉄線または棒線、横線を製造方向（機械の送り方向）と直角方向の鉄線または棒線と定義する。しかし、本明細書においては金網を構成する鉄線のうち任意の一方向に配されたものを「縦線」と、縦線と直交する方向の鉄線を「横線」と定義する点注意されたい。
【０００８】
実際に溶接金網を製造する場合、一つの溶接金網に多数の溶接点が存在する。この為、空圧式マルチスポット溶接機などの一枚の溶接金網に存在する多数の溶接点を一度に溶接可能な溶接機が用いられることになる。これらの製造装置により、単位時間当たりの製造数が飛躍的に向上し、溶接金網を建築物の基礎作成の分野などで広く用いることが可能となった。
【０００９】
非特許文献１には、「丸鉄線」に代えて「異形鉄線」の使用も認めている。この文献中の「異形鉄線」とは、表面に２列以上の突起（リブ）またはくぼみ（インデント）を規則正しく配した鉄線のことである。この「異形鉄線」を用いることで、建築分野においてコンクリートとの付着性を高めることが期待されている。
【００１０】
このように、量産性に優れた丸鉄線や「異形鉄線」を用いて溶接金網を作成することで大量生産を可能とし、安価な基礎鉄筋や鳥獣害防止柵を提供することが可能となった。
【先行技術文献】
【非特許文献】
【００１１】
【非特許文献１】ＪＩＳ  Ｇ  ３５５１
【発明の概要】
【発明が解決しようとする課題】
【００１２】
しかし、単に丸鉄線を組み合わせただけでは十分な軽量化が図れない。我が国においては高齢化が進んでおり、建築、農業用資材の分野では、十分な強度を保持したまま軽量に仕上げられることが求められている。このため、上記の標準と強度などの面で同等品かつ軽量な溶接金網を提供することが好ましい。
【００１３】
また、ＪＩＳ  Ｇ  ３５５１で規定される「異形鉄線」は丸鉄線に比べ高価になり、低価格化も限界がある。従って、コンクリートとの付着性を重視する場合には、この工数のかかる「異形鉄線」を用いた溶接金網を使うことになり、好ましいといえない。
【００１４】
本発明の目的は、ＪＩＳ  Ｇ  ３５５１同等品の溶接金網をより軽量に作成する方法を提供することにある。
【００１５】
また本発明の別の目的は、「異形鉄線」を用いることなくコンクリートとの付着性が高く、低価格な溶接金網を作成する方法を提供することにある。
【００１６】
本発明の前記並びにその他の目的と新規な特徴は、本明細書の記述及び添付図面から明らかになるであろう。
【課題を解決するための手段】
【００１７】
本発明に関わる代表的な金網は、第１の横線を含む２以上の横線と、第１の縦線を含む２以上の縦線を直交して配列し、それらの交点を固定して格子状にし、第１の横線が、多角形の断面を持ち線材の断面形状の中心から断面に垂直に立ち上げられた軸を中心にねじられた多角形断面金属線材であることを特徴とする。
【００１８】
この金網において、第１の縦線が丸断面金属線材であることを特徴としても良い。
【００１９】
この金網において、第１の縦線が多角形断面金属線材であることを特徴としても良い。
【００２０】
この金網において、第１の縦線と第１の横線の単位長さあたりのねじり量が等しいことを特徴としても良い。
【００２１】
この金網において、第１の縦線と第１の横線の単位長さあたりのねじり量が異なることを特徴としても良い。
【００２２】
本発明に関わる別の代表的な金網は、第１の横線を含む２以上の横線と、第１の縦線を含む２以上の縦線を直交して配列し、それらの交点を固定して格子状にし、第１の縦線が、多角形の断面をもち断面形状の中心から断面に垂直に立ち上げられた軸を中心にねじられた多角形断面金属線材であることを特徴とする。
【００２３】
この金網において、第１の横線が丸断面金属線材であることを特徴としても良い。
【００２４】
この金網において、第１の横線が多角形断面金属線材であることを特徴としても良い。
【００２５】
この金網において、第１の縦線と第１の横線の単位長さあたりのねじり量が等しいことを特徴としても良い。
【００２６】
この金網において、第１の縦線と第１の横線の単位長さあたりのねじり量が異なることを特徴としても良い。
【００２７】
本発明に関わる別の代表的な金網は、第１の横線と第２の横線を含む２以上の横線と、第１の縦線を含む２以上の縦線を直交して配列し、それらの交点を固定して格子状にした金網であって、第１の横線及び第２の横線が、多角形の断面をもち断面形状の中心から断面に垂直に立ち上げられた軸を中心にねじられた多角形断面金属線材であることを特徴とする。
【００２８】
この金網において、第１の縦線が丸断面金属線材であることを特徴としても良い。
【００２９】
この金網において、第１の縦線が多角形断面金属線材であることを特徴としても良い。
【００３０】
本発明に関わる別の代表的な金網は、第１の横線を含む２以上の横線と、第１の縦線と第２の縦線を含む２以上の縦線を直交して配列し、それらの交点を固定して格子状にした金網であって、第１の縦線及び第２の縦線が、多角形の断面をもち断面形状の中心から断面に垂直に立ち上げられた軸を中心にねじられた多角形断面金属線材であることを特徴とする。
【００３１】
この金網において、第１の横線が丸断面金属線材であることを特徴としても良い。
【００３２】
また、この金網は、第１の横線が多角形断面金属線材であることを特徴としても良い。
【００３３】
本発明に関わる別の代表的な金網は、２以上の横線と２以上の縦線を直交して配列し、それらの交点を固定して格子状にしたものであって、すべての前記横線が多角形断面金属線材であることを特徴とする。
【００３４】
本発明に関わる別の代表的な金網は、２以上の横線と２以上の縦線を直交して配列し、それらの交点を固定して格子状にしたものであって、すべての前記縦線が多角形断面金属線材であることを特徴とする。
【００３５】
これらの金網は、いずれかの縦線といずれかの横線の間を電気溶接で固定することを特徴としても良い。
【発明の効果】
【００３６】
本発明に関わる溶接金網によって、使用する金属部材の重量を低減し溶接金網全体を軽量化することが可能になる。
また本発明に関わる溶接金網によって、高価な「異形鉄線」を用いることなくコンクリートとの付着性が高く、低価格な溶接金網を作成することが可能となる。
【図面の簡単な説明】
【００３７】
【図１】従来の溶接金網を作成する際に用いる丸鉄線を表す斜視図である。
【図２】従来の溶接金網の正面図である。
【図３】図２で表した従来の溶接金網の斜視図である。
【図４】本発明の第１の実施の形態にかかわる溶接金網を作成する際に用いる金属線材を表す。
【図５】本発明の第１の実施の形態にかかわる溶接金網の正面図である。
【図６】図５で表した本発明の第１の実施の形態にかかわる溶接金網の斜視図である。
【図７】丸断面金属線材と本発明に関わる多角形断面金属線材の断面形状を対比する概念図である。
【図８】多角形断面金属線材採用の効果を表す概念図である。
【図９】断面が六角形の場合の多角形断面金属線材を表す断面図である。
【図１０】横線のみを多角形断面金属線材に変更した場合の溶接金網を表す図である。
【図１１】縦線及び横線ともに丸鉄線と多角形断面金属線材の比率を１：１にした場合の溶接金網を表す図である。
【発明を実施するための形態】
【００３８】
本発明は、丸鉄線の代わりに、グレーチング（溝蓋）などで用いる矩形等の多角形の断面の金属線材をねじったもの（以下「多角形断面金属線材」と称する）を用いることを特徴とする。
【００３９】
以下本発明の実施の形態を図に基いて説明する。
（実施の形態）
図４は、本発明の第１の実施の形態にかかわる溶接金網を作成する際に用いる多角形断面金属線材２００を表す図である。図５は、本発明の第１の実施の形態にかかわる溶接金網の正面図である。図６は、図５で表した本発明の第１の実施の形態にかかわる溶接金網の斜視図である。
【００４０】
また、図７は、丸断面金属線材１００と本発明に関わる多角形断面金属線材２００の断面形状を対比する概念図であり、図８は本発明に関わる線材重量の軽減効果を説明するための概念図である。
【００４１】
この多角形断面金属線材２００は、正方形または長方形の断面をもつ線材である。図７からも明らかなとおり、目標強度を有する丸断面金属線材１００の断面直径Ａと多角形断面金属線材２００の対角間距離Ｂはほぼ等しい値も持つ。そして、図４に表されるように、この多角形断面金属線材２００は断面形状の中心から断面に垂直に立ち上げられた軸を中心に捩じられている。
【００４２】
なお、「捩じる」とは、「細長いもの」の両端に力を加え、互いに逆の方向に回すこと（小学館「大辞泉」）と定義されている。従って、この意味に反する解釈をすることは避けるよう注意されたい。
【００４３】
これにより、多角形断面金属線材２００は一方向からだけでなく複数の方向からの強い力にも丸断面金属線材１００と同等の強度を持つ。結果として、丸断面金属線材１００と多角形断面金属線材２００は同じ強度を有する。
【００４４】
なお、多角形断面金属線材２００の断面は正方形または長方形以外でも同じように本発明の効果を奏する。
【００４５】
図９は、断面が六角形の場合の多角形断面金属線材２００を表す断面図である。
この図を見てもわかるとおり、六角形、八角形などの断面でも相対する角の距離は丸断面金属線材１００の直径とほぼ同じであり、軸方向を中心としてねじることにより正方形または長方形断面同様の効果を奏する。
【００４６】
また五角形、七角形といった、対向する角が存在しない断面形状であってもそれぞれの角と対向する辺の長さは、断面直径Ａに近くなる。結果奇数角の断面であってもねじりの効果は偶数角の断面と同様に効いてくることとなる。
【００４７】
結果として、金属線材の断面の面積比に応じて線材の軽量化を図ることが可能となる。図８では四角形の場合の効果を図示している。本図の斜線個所の分だけ丸断面金属線材１００に比べて多角形断面金属線材２００の重量は低下し、軽量な溶接金網を作成することが可能となる。断面が他の多角形の場合でも理屈は同じである。
【００４８】
本実施の形態では、この角形断面金属線材２００を用いて溶接金網を作成する。
図５及び図６で表されるように、本発明に関わる溶接金網では、丸断面金属線材１００とほぼ同じの強度を有する多角形断面金属線材２００を縦線２０１ａ、２０１ｂ、２０１ｃ、２０１ｄと横線２０２ａ、２０２ｂ、２０２ｃ、２０２ｄに用いている。このため、溶接金網全体で見ても、従来から存在する溶接金網と本発明に関わる溶接金網は同一の強度を持つことが可能となる。
【００４９】
また、素材が丸断面金属線材１００と同一であれば、多角形断面金属線材２００を用いた溶接金網の生産においても、空圧式マルチスポット溶接機などの工具は従来と同様のものを用いることが可能である。そして、同一の工法を用いることが可能なため、縦線と横線の交点における溶接強度も、従来の溶接金網と同様である。従って、溶接金網全体としての強度も、従来の溶接金網とほぼ同等である。
【００５０】
以上の様に、捩じられた多角形断面金属線材２００を用いることで、従来の丸断面金属線材１００同様の強度を持たせつつ単位長さあたりの軽量化を図ることができる。結果として溶接金網全体の重量を軽減することが可能となる。また全ての縦線及び横線を、同じ断面形状の多角形断面金属線材２００で作成すれば、線材の断面の面積比に応じて軽量化が図れることは言うまでもない。
【００５１】
なお、上記の溶接金網の説明においても多角形断面金属線材２００の断面形状を四角形であるとして説明した。しかし、線材の他の断面形状においても、たとえば多角形断面金属線材２００の断面形状が五角形、六角形といった形状であっても、同様の効果を奏し、線材の断面の面積比及び多角形断面金属線材２００の使用比率に応じて溶接金網の軽量化が図れることは言うまでもない。
【００５２】
また、溶接金網のすべての線材を多角形断面金属線材２００に変えない場合も本発明の射程に含まれることは言うまでもない。
【００５３】
図１０は、横線のみを多角形断面金属線材２００に変更した場合の溶接金網を表す図である。また、図１１は、縦線及び横線ともに丸鉄線と多角形断面金属線材の比率を１：１にした場合の溶接金網を表す図である。
【００５４】
図１０のように、横線３０２ａ、３０２ｂ、３０２ｃ、３０２ｄに多角形断面金属線材２００を適用し、縦線３０１ａ、３０１ｂ、３０１ｃ、３０１ｄには従来の丸断面金属線材１００を用いても構わない。このような構成であっても、建築の基礎として用いる場合にコンクリートとの付着性を確保できるためである。
もちろん、縦線のみに多角形断面金属線材２００を適用しても問題はない。
【００５５】
また図１１のように、縦線及び／または横線で交互に丸断面金属線材１００と多角形断面金属線材２００を用いても良い。図１１の縦線の例では、４０１ｂ、４０１ｄには多角形断面金属線材２００を適用し、４０１ａ、４０１ｃには丸断面金属線材１００を用いている。また、図１１の横線の例では、４０２ｂ、４０２ｄには多角形断面金属線材２００を適用し、４０２ａ、４０２ｃには丸断面金属線材１００を用いている。
【００５６】
また、図１１では丸断面金属線材１００と角断面金属線材２００の割合は１：１であった。しかし、適宜、１：２や２：１（もちろん他の割合も可）に割合を変更しても良い。さらには縦線と横線で丸断面金属線材１００と角断面金属線材２００の割合を変えても良い。
【００５７】
このように、１の金網中で丸断面金属線材と多角形断面金属線材を混用することも本発明の射程に含まれる。
【００５８】
以上、本発明者によってなされた発明を実施の形態に基づき具体的に説明したが、本発明は前記の実施の形態に限定されるものではなく、その要旨を逸脱しない範囲で種々変更が可能であることは言うまでもない。
【００５９】
たとえば、これまでＪＩＳ  Ｇ  ３５５１を意識して記載を行ったが、必ずしもこれだけに限定されるものではない。ＪＩＳ  Ｇ  ３５５１に規定される「丸鉄線」を用いた金網であれば、たとえＪＩＳ非対応品であっても本発明の射程に含まれることは言うまでもない。
【００６０】
たとえば、ＪＩＳ  Ｇ  ３５５１は溶接金網について規定している。しかし強度さえ保てれば、他の接着方式、たとえば接着剤による化学的接着、を用いた金網に対して丸断面金属線材１００の代わりに多角形断面金属線材２００を使うことも可能である。このような場合も本発明の射程に含まれることは言うまでもない。
【００６１】
さらには、多角形断面金属線材２００の単位長さあたりのねじり量（たとえば５ｃｍあたり捩じり角３６０度）が縦線と横線で同じであっても良いし、異なるものであっても良い。
【００６２】
さらには、図１０及び図１１において丸断面金属線材１００の代わりに「異形鉄線」を用い、「異形鉄線」と多角形断面金属線材２００を混ぜて金網を作ることも本発明の射程に含まれる。
【００６３】
さらには、複数種類の多角形断面金属線材２００の混用、たとえば四角形の断面を持つ多角形断面金属線材２００と五角形の断面を持つ多角形断面金属線材２００を一つの金網中で混用する場合など、も本発明の射程に含まれる。
【産業上の利用可能性】
【００６４】
建築の基礎鉄筋としての用途、または鳥獣害防止用金属金網での使用を想定する。ただし用途は必ずしもそれだけには限られず、溶接金網であれば他の用途に用いるものであっても良い。
【符号の説明】
【００６５】
１００：丸鉄線、
２００：多角形断面金属線材、
１０１ａ、１０１ｂ、１０１ｃ、１０１ｄ、２０１ａ、２０１ｂ、２０１ｃ、２０１ｄ
、３０１ａ、３０１ｂ、３０１ｃ、３０１ｄ、４０１ａ、４０１ｂ、４０１ｃ、
４０１ｄ：縦線、
１０２ａ、１０２ｂ、１０２ｃ、１０２ｄ、２０２ａ、２０２ｂ、２０２ｃ、２０２ｄ
、３０２ａ、３０２ｂ、３０２ｃ、３０２ｄ、４０２ａ、４０２ｂ、４０２ｃ、
４０２ｄ：横線、
【図１】
2015045174.tif 000003
【図２】
2015045174.tif 000004
【図３】
2015045174.tif 000005
【図４】
2015045174.tif 000006
【図５】
2015045174.tif 000007
【図６】
2015045174.tif 000008
【図７】
2015045174.tif 000009
【図８】
2015045174.tif 000010
【図９】
2015045174.tif 000011
【図１０】
2015045174.tif 000012
【図１１】
2015045174.tif 000013